(57)【要約】【課題】  プラズマ処理能力が高いプラズマ処理方法を提供する。【解決手段】  対向配置された複数の電極１、２及びガス流路３６を有する。ガス流路３６にガスを導入すると共に対向する電極１、２間に電圧を印加することにより大気圧近傍の圧力下でガス流路３６内にプラズマ３を生成する。このプラズマ３をガス流路３６から吹き出して被処理物４の表面に供給するプラズマ処理方法に関する。被処理物４の表面にプラズマ３を供給した後、プラズマ３を供給した被処理物４の表面を酸素を含むガス６に曝露する。この後、酸素を含むガス６に曝露した被処理物４の表面に再びプラズマ３を供給する。プラズマ３の供給で被処理物４の表面を活性化して酸素分子が吸着しやすい状態にした後、酸素を含むガス６に暴露して被処理物４の表面に酸素分子を吸着させることができる。この後、被処理物４の表面に吸着した酸素分子をプラズマ３で活性化することができる。【選択図】  図１
2005072497.tif 000002
【特許請求の範囲】
【請求項１】
対向配置された複数の電極及びガス流路を有し、ガス流路にガスを導入すると共に対向する電極間に電圧を印加することにより大気圧近傍の圧力下でガス流路内にプラズマを生成し、このプラズマをガス流路から吹き出して被処理物の表面に供給するプラズマ処理方法であって、被処理物の表面にプラズマを供給した後、空気又は酸素を含むガスにプラズマを供給した被処理物の表面を曝露し、この後、空気又は酸素を含むガスに曝露した被処理物の表面に再びプラズマを供給することを特徴とするプラズマ処理方法。
【請求項２】
対向配置された複数の電極及びガス流路を有し、ガス流路にガスを導入すると共に対向する電極間に電圧を印加することにより大気圧近傍の圧力下でガス流路内にプラズマを生成し、このプラズマをガス流路から吹き出して被処理物の表面に供給するプラズマ処理方法であって、被処理物の表面に空気又は酸素を含むガスの雰囲気中で紫外線を照射した後、紫外線を照射した被処理物の表面にプラズマを供給することを特徴とするプラズマ処理方法。
【請求項３】
請求項１又は２に記載のプラズマ処理方法を用いてプラズマ処理を行うことを特徴とするプラズマ処理装置。
【発明の詳細な説明】
【技術分野】
【０００１】
本発明は、被処理物の表面に存在する有機物等の異物のクリーニング、レジストの剥離やエッチング、有機フィルムの密着性の改善、金属酸化物の還元、成膜、めっき前処理、コーティング前処理、各種材料・部品の表面改質などの表面処理に利用されるプラズマ処理方法及びプラズマ処理装置に関するものであり、特に、精密な接合が要求される電子部品の表面のクリーニングに好適に応用されるものである。
【背景技術】
【０００２】
従来より、対向配置された電極間にガスを導入すると共に上記電極間に電圧を印加することにより大気圧近傍の圧力下で放電を発生させてプラズマを生成し、このプラズマを電極間から吹き出して被処理物に供給することによって、被処理物にプラズマ処理を施すことが行われている。
【０００３】
上記のようなプラズマ処理方法において、電極間に導入されるガスとしては各種のものが提案されているが、例えば、放電の安定性やプラズマ処理能力や経済性等を考慮して窒素（Ｎ２）単独あるいは窒素と酸素（Ｏ２）の混合ガスを用いることが行われている（例えば、非特許文献１参照）。
【０００４】
この非特許文献１には、大気圧下における吹き出し型プラズマ処理において窒素と酸素の混合ガスを用いる場合に、酸素濃度を３体積％以下にすると高い処理速度が得られることが記載されている。また、酸素濃度が３体積％以下の場合では酸素濃度が徐々に減少するほど処理性能が向上し、酸素濃度０％すなわち窒素単独で処理した場合に処理速度が最大になることが示されている。
【０００５】
このように窒素単独をプラズマ処理用のガスとして用いた場合は、非特許文献１に記載されているように、「プラズマで励起された窒素励起種が基板表面の空気（特に酸素）を間接励起することで、オゾンや酸素励起種を生成し、その反応種によって」被処理物の表面の洗浄や改質が行われると考えられる。
【０００６】
しかし、非特許文献１に記載されているような間接励起を用いたプラズマ処理方法では、被処理物の表面周辺の空気が不足して空気中の酸素の解離確率が低下することがあり、これにより、オゾンや酸素励起種が少なくなってプラズマ処理能力が低いという問題があった。
【非特許文献１】「大気圧プラズマによるＬＣＤ洗浄技術」積水化学工業（株）湯浅基和、第５０回応用物理学関係連合講演会、講演予稿集（２００３．３．神奈川大学）
【発明の開示】
【発明が解決しようとする課題】
【０００７】
本発明は上記の点に鑑みてなされたものであり、プラズマ処理能力を高くすることができるプラズマ処理方法及びプラズマ処理装置を提供することを目的とするものである。
【課題を解決するための手段】
【０００８】
本発明の請求項１に係るプラズマ処理方法は、対向配置された複数の電極１、２及びガス流路３６を有し、ガス流路３６にガスを導入すると共に対向する電極１、２間に電圧を印加することにより大気圧近傍の圧力下でガス流路３６内にプラズマ３を生成し、このプラズマ３をガス流路３６から吹き出して被処理物４の表面に供給するプラズマ処理方法であって、被処理物４の表面にプラズマ３を供給した後、プラズマ３を供給した被処理物４の表面を酸素を含むガス６に曝露し、この後、酸素を含むガス６に曝露した被処理物４の表面に再びプラズマ３を供給することを特徴とするものである。
【０００９】
本発明によれば、プラズマ３の供給で被処理物４の表面を活性化して酸素分子が吸着しやすい状態にした後、酸素を含むガス６に暴露して被処理物４の表面に酸素分子を吸着させ、この後、酸素分子を吸着させた被処理物４の表面にプラズマ３をさらに供給することによって、被処理物４の表面に吸着した酸素分子をプラズマ３で活性化することができ、これにより、オゾンや酸素励起種が多くなってプラズマ処理能力を高くすることができるものである。
【００１０】
本発明の請求項２に係るプラズマ処理方法は、対向配置された複数の電極１、２及びガス流路３６を有し、ガス流路３６にガスを導入すると共に対向する電極１、２間に電圧を印加することにより大気圧近傍の圧力下でガス流路３６内にプラズマ３を生成し、このプラズマ３をガス流路３６から吹き出して被処理物４の表面に供給するプラズマ処理方法であって、被処理物４の表面に酸素を含むガス６の雰囲気中で紫外線を照射した後、紫外線（ＵＶ）を照射した被処理物４の表面にプラズマ３を供給することを特徴とするものである。
【００１１】
本発明によれば、紫外線照射により被処理物４の表面を活性化して酸素分子が吸着しやすい状態にすると共に被処理物４の表面に酸素分子を吸着させることができ、この後、被処理物４の表面に吸着した酸素分子をプラズマ３で活性化することができ、これにより、オゾンや酸素励起種が多くなってプラズマ処理能力を高くすることができるものである。
【００１２】
本発明の請求項３に係るプラズマ処理装置は、請求項１又は２に記載のプラズマ処理方法を用いてプラズマ処理を行うことを特徴とするものである。
【発明の効果】
【００１３】
本発明は、プラズマの供給で被処理物の表面を活性化して酸素分子が吸着しやすい状態にした後、酸素を含むガスに暴露して被処理物の表面に酸素分子を吸着させ、この後、酸素分子を吸着させた被処理物の表面にプラズマをさらに供給することによって、被処理物の表面に吸着した酸素分子をプラズマで活性化することができ、これにより、オゾンや酸素励起種が多くなってプラズマ処理能力を高くすることができるものである。
【発明を実施するための最良の形態】
【００１４】
以下、本発明を実施するための最良の形態を説明する。
【００１５】
図１に本発明のプラズマ処理装置の一例を示す。このプラズマ処理装置は吹き出し式であって、電極支持筐体２２に一対（二つ）の電極１、２を設けて形成されるプラズマ発生器２１を備えたものである。
【００１６】
電極１、２は銅、アルミニウム、真鍮、耐食性の高いステンレス鋼（ＳＵＳ３０４など）、チタン、１３クロム鋼、ＳＵＳ４１０などの導電性の金属材料を用いて幅方向に長い略角棒状に形成されるものであって、その内部には冷却水を流通させるための流水路３７が略全長に亘って設けられている。尚、図１において電極１、２の幅方向は紙面と直交する方向であって、本発明のプラズマ処理装置はこの幅方向と直交する方向に被処理物４を搬送しながらプラズマ処理を行うものである。
【００１７】
また、電極１、２の表面にはアルミナ、チタニア、ジルコニアなどのセラミック材料の溶射法により誘電体被膜４０が全面に亘って形成されている。また、誘電体被膜４０には封孔処理を行うことが好ましい。封孔材料としてエポキシ系樹脂などの有機材料またはシリカなどの無機材料を用いることができる。このようなセラミック溶射被覆材料による誘電体被膜４０として特に有効な材料はアルミナである。
【００１８】
また、誘電体被膜４０を形成するにあたって、シリカ、チタニア、アルミナ、酸化スズ、ジルコニアなどを原料とした無機質材料の釉薬を原料としてホーローコーティングを行うこともできる。上記の溶射法やホーローコーティングの場合、誘電体被膜４０の厚みは０．１〜３ｍｍ、より好ましくは０．３〜１．５ｍｍに設定することができる。誘電体被膜４０の厚みが０．１ｍｍよりも薄いと誘電体被膜４０が絶縁破壊する可能性があり、３ｍｍよりも厚いと、対向する電極１、２間に電圧が印加され難くなり、その結果として放電が不安定になる恐れがある。
【００１９】
電極支持筐体２２はステンレス鋼等の金属材料で電極１、２と同様に幅方向に長く形成されている。また、電極支持筐体２２には上下に貫通するスリット状のガス流路３６が形成されていると共にガス流路３６を挟んで対向する電極支持筐体２２の二つ内面には電極収容凹部２７が設けられている。そして、各電極収容凹部２７に上記の電極１、２を一つずつ収容するようにして電極支持筐体２２に一対の電極１、２が設けられている。ここで、各電極１、２と電極支持筐体２２との間には合成樹脂等で形成される絶縁性のスペーサ２８が設けられており、これにより、電極１、２と電極支持筐体２２との絶縁性が確保されている。また、電極支持筐体２２に設けた一対の電極１、２はガス流路３６を挟んで対向配置されるものであり、電極１、２間のガス流路３６が放電空間５として形成されている。尚、本発明のプラズマ処理装置には上記一対の対向する電極１、２の間隔を電極１の幅方向の略全長に亘って一定に保つためのギャップ間距離調整機構を具備するのが好ましい。
【００２０】
上記のように電極支持筐体２２に設けられた電極１、２は被処理物４の搬送方向と平行方向（水平方向）に並べることにより、被処理物４の搬送方向において前後に対向配置されている。また、被処理物４は電極１、２の下側において図１に矢印で示す一方向に搬送されるものである。また、上記対向する電極１、２は所定の間隔の放電空間５を介して略平行に対向配置されるものであるが、電極１、２の間隔（電極１、２の対向面に設けた誘電体被膜４０間の間隔）は、０．２〜３ｍｍにするのが好ましい。対向する電極１、２の間隔（ギャップ間距離）が上記の範囲を逸脱すると、均一なグロー状の放電を安定して生成することが難しくなる恐れがある。
【００２１】
このプラズマ処置装置には図２に示すように、電極１に昇圧トランス４８を介して電源４７が電気的に接続されている。また、対向する一対の電極１、２は中点接地されていて、両電極１、２とも接地に対して浮いた状態で電圧を印加されているのが好ましい。このために、被処理物４と電極１との電位差が小さくなってアークの発生を防止することができ、アークによる被処理物４の損傷を防ぐことができるものである。
【００２２】
また、本発明のプラズマ処理装置は上記のように電極支持筐体２２と電極１、２とで形成されるプラズマ発生器２１を被処理物４の搬送方向と平行方向（水平方向）に隣接させて並べると共に隣接する電極支持筐体２２の上面間に亘ってガスノズル２３が設けられている。ガスノズル２３は電極１、２の幅方向と略平行に長く形成されるものであって、ガスノズル２３の下面にはスリット状の二つのノズル口３５がガスノズル２３の幅方向の略全長に亘って形成されている。このガスノズル２３は、各ノズル口３５を各電極支持筐体２２のガス流路３６の上側開口にそれぞれ位置合わせした状態で配設されている。
【００２３】
上記のように形成されるプラズマ処理装置を用いて、大気圧近傍の圧力下（９３．３〜１０６．７ｋＰａ（７００〜８００Ｔｏｒｒ））で液晶パネルディスプレイ（ＬＣＤ）用ガラス板などの平板状の被処理物４にプラズマ処理を施すにあたっては、次のようにして行う。まず、対向配置された一対の電極１、２の上方に設けたガスノズル２３内にプラスマ生成用ガスを導入すると共にガスノズル２３内でプラスマ生成用ガスを幅方向に流しながら徐々にノズル口３５から吹き出すようにする。ここで、プラズマ生成用ガスはガスノズル２３の幅方向の全長に亘って略均一に吹き出されるものである。
【００２４】
本発明で用いるプラズマ生成用ガスとしては、特に限定しなくても放電を安定して発生させることができるものであればよく、希ガス類も使用できるが、特に、大気圧下で放電開始電圧１０ｋＶ／ｃｍ以上のガスが好ましい。放電開始電圧１０ｋＶ／ｃｍ以上のプラズマ生成用ガスとしては、窒素、酸素、水素、メタン、アンモニア、空気、水蒸気、各種有機モノマー、フッ素含有ガスなどの単独または混合ガスを例示できる。尚、本発明において、プラズマ生成用ガスの放電開始電圧は１００ｋＶ／ｃｍ以下であることが好ましい。
【００２５】
次に、ガスノズル２３のノズル口３５から吹き出されたプラズマ生成用ガスは、ガス流路３６に導入されてガス流路３６内を上流（上側）から下流（下側）へと流れた後、対向する一対の電極１、２の間の放電空間５に上側開口から導入される。そして、対向する一対の電極１、２の間に電源４７で電圧を印加して誘電体バリア放電を発生させると共に対向する一対の電極１、２の間に導入されたプラズマ生成用ガス（分子）を対向する電極１、２間に印加された電界の作用により励起して活性種を生成するものであり、これにより、プラズマ（放電ガス）３が生成されるものである。
【００２６】
本発明のプラズマ処理において、電源４７により対向する一対の電極１、２間に周波数が３０〜５００ｋＨｚの連続交番波形の電圧を印加するのが好ましく、また、電界強度が５０〜２００ｋＶ／ｃｍの電圧を印加するのが好ましい。上記の連続交番波形とは、パルス波形のように対向する一対の電極１、２間に電圧が印加されない休止区間が生じるものではなく、連続して対向する一対の電極１、２間に電圧が印加されるような交番波形であって、例えば、正弦波の波形にすることができる。また、電極１、２間にパルス波形電圧（パルス状の電圧波形）を印加することもできる。パルス波形電圧とは休止区間を設けて規則的に一定の形状の電圧を繰り返し印加するものであり、例えば、立ち上がり時間および立ち下がり時間を１００μｓｅｃ以下、繰り返し周波数を０．５〜１０００ｋＨｚ、電極１、２間に印加される電界強度を０．５〜２００ｋＶ／ｃｍの波形を印加することで安定的に処理を行うことができる。また、対向する電極１、２の間隙（放電空間５）に供給されるガスの流速が５〜２０ｍ／秒となるようにするのが好ましい。このようなガスの流速を調整するにあたっては、対向する電極１、２の間隔やガスの流量などを調整するようにする。
【００２７】
上記のようにして生成されたプラズマ３は放電空間５の下流側開口から電極１、２の幅方向の全長に亘ってプラズマジェットとしてカーテン状に吹き出されるものであるが、このプラズマ処理装置では二基のプラズマ発生器２１からそれぞれプラズマ３が吹き出されるものである。また、二基のプラズマ発生器２１から吹き出されるプラズマ３は被処理物４の搬送方向と平行な方向に並んで対向しているが、これらプラズマ３、３の間には酸素を含むガス６として空気が存在していることになる。
【００２８】
そして、上記のようにして二基のプラズマ発生器２１でプラズマ３を発生させて吹き出すようにした後、被処理物４を二基のプラズマ発生器２１の電極１、２の下流側（下側）にＸＹテーブルなどの搬送手段５０で搬送し、被処理物４の表面にプラズマ３を吹き付けて供給（曝露）することによって、被処理物４のプラズマ処理を行うことができるものであるが、本発明では、被処理物４の搬送方向において上流側にある一方のプラズマ発生器２１から被処理物４の表面にプラズマ３を吹き付けて供給した後、酸素を含むガス６である空気にプラスマ３を供給した被処理物４の表面を曝露し、この後、被処理物４の搬送方向において下流側にある他方のプラズマ発生器２１から酸素を含むガス６に曝露した被処理物４の表面に再度プラズマ３を吹き付けて供給することによって、プラズマ処理されるものである。
【００２９】
このように酸素を含むガス６に曝露する工程を挟んで前後に被処理物４の表面にプラズマ３を供給する工程を設けてプラズマ処理を行うことによって、例えば、図４に示すような酸素を含むガスに暴露させないでプラズマ処理を行う場合に比べて、処理能力を向上させることができる。つまり、最初のプラズマ３の供給で被処理物４の表面を活性化して酸素分子(または原子状酸素)が吸着しやすい状態にした後、酸素を含むガス６に暴露する工程で被処理物４の表面に酸素分子を吸着させ、この後、酸素分子を吸着させた被処理物４の表面にプラズマ３を供給することによって、被処理物４の表面に吸着した酸素分子を活性化することができ、これにより、処理能力を向上させることができるものである。
【００３０】
この実施の形態において、最初にプラスマ３を被処理物４の表面に供給した後、すぐに連続して被処理物４の表面を酸素を含むガス６に曝露させるものであり、これにより、被処理物４の表面の活性化状態が低下する前に酸素分子を吸着させることができ、また、被処理物４の表面を酸素を含むガス６に曝露させた後、すぐに連続して二回目のプラスマ３を被処理物４の表面に供給するものであり、これにより、被処理物４の表面に吸着した酸素分子が離脱する前にプラスマ３を供給することができ、いずれの場合もプラスマ処理能力の低下を防止することができる。また、被処理物４に対するプラスマ３の供給時間や酸素を含むガス６に対する被処理物４の表面の曝露時間などは被処理物４の種類やプラズマ処理の内容などによって適宜設定可能である。
【００３１】
図３に他の実施の形態を示す。このプラズマ処理装置は、上記と同様のプラズマ発生器２１と紫外線照射装置３０とを備えて形成されるものである。プラズマ発生器２１は一基であって、その上側には上記と同様のガスノズル２３が設けられている。また、プラズマ発生器２１の上方は排気カバー２０で覆われている。紫外線照射装置３０としてはエキシマＵＶランプ、低圧水銀ランプ、高圧水銀ランプなどを例示することができる。この紫外線照射装置３０は被処理物４の搬送方向においてプラズマ発生器２１よりも上流側に配置されている。その他の構成は上記の実施の形態と同様である。
【００３２】
このように形成されるプラズマ処理装置を用いて、大気圧近傍の圧力下で被処理物４にプラズマ処理を施すにあたっては、まず、紫外線照射装置３０の下方を通過するように上記と同様の搬送手段５０で被処理物４を搬送する。これにより、酸素を含むガス６である空気の雰囲気中で被処理物４の表面に紫外線照射装置３０から紫外線が照射される。この時に照射される紫外線の強さは被処理物４の種類や紫外線の波長等によって異なるが、例えば、４〜１００ｍＷ／ｃｍ２にすることができる。そして、この紫外線照射により被処理物４の表面を活性化して酸素分子が吸着しやすい状態にすると共に被処理物４の表面に酸素分子を吸着させるものである。
【００３３】
このようにして被処理物４の表面に酸素分子を吸着させた後、被処理物４をプラズマ発生器２１の電極１、２の下流側（下側）に搬送手段５０で搬送し、プラズマ発生器２１の放電空間５で発生させたプラズマ３を、酸素分子を吸着させた被処理物４の表面に供給することによって、被処理物４のプラズマ処理を行うことができる。尚、プラズマ３の発生条件や供給方法は上記と同様である。
【００３４】
そして、この実施の形態では、被処理物４の表面にプラズマ３を供給する前に、酸素を含むガス６の雰囲気中で被処理物４の表面に紫外線を照射するので、被処理物４の表面に酸素分子を吸着させた後、被処理物４の表面にプラズマ３を供給するすることができ、酸素分子を吸着させた被処理物４の表面にプラズマ３を供給することによって、被処理物４の表面に吸着した酸素分子を活性化して処理能力を向上させることができるものである。
【００３５】
この実施の形態においては、被処理物４の表面に紫外線を供給した後、すぐに連続してプラスマ３を被処理物４の表面に供給するものであり、これにより、被処理物４の表面に吸着した酸素分子が離脱する前にプラスマ３を供給することができ、プラスマ処理能力の低下を防止することができる。
【００３６】
上記のいずれの実施の形態においても、酸素を含むガス６として空気を用いたが、これに限らず、例えば、酸素ガスと窒素ガスの混合ガスや酸素ガスと希ガスとの混合ガスなどを用いることができる。
【００３７】
また、本発明において、酸素を含むガス６にはさらに水蒸気、ＣＯ２、Ｏ３などが含有されているのが好ましい。特に、水蒸気の場合は酸素分子に加えて、被処理物４の表面への水分子やヒドロキシ基（ＯＨ基）の吸着が考えられ、これにより、処理効果を高めることができる。水蒸気を含む場合のガス（空気）の湿度としては、ガス温度が２５℃〜８０℃で相対湿度４０％〜８０％、より好ましくはガス温度が３０℃〜６０℃、相対湿度５０％〜７０％である。相対湿度が４０％未満だと処理効果の向上が少なくなる恐れがあり、８０％を超えると逆にプラズマが失活し、処理効果が低下し、また被処理物４への結露という問題も生じる恐れがある。さらに、ガス温度が２５℃未満だと処理効果の向上が少なくなる恐れがあり、８０℃を超えると被処理物４への熱ダメージが生じる恐れがある。
【００３８】
また、上記のいずれの実施の形態においても、被処理物４を略水平に搬送する場合について説明したが、これに限らず、本発明は被処理物４をいずれの方向（例えば鉛直方向）に搬送する場合についても適用することができるものである。また、本発明においては、電極の個数は二つ以上であれば必要に応じて任意に設定することができる。また、電圧の印加条件も上記のものには限定されず、例えば、印加電圧の周波数や波形形状、電界強度、ガス流速等は必要に応じて任意に設定することができる。
【実施例】
【００３９】
以下本発明を実施例によって具体的に説明する。
【００４０】
(実施例１)
図１に示すプラズマ処理装置を形成した。電極１、２は長さ１１００ｍｍのステンレス鋼製であり、電極１、２の表面に溶射法を用いて１ｍｍの厚みでアルミナの層を形成して誘電体被膜４０とした。また、電極１、２の内部には冷却水を循環した。このように形成される一対の電極１、２を未放電時において１ｍｍの間隔を設けて対向配置した。また、未放電時においてガス流路３６に上流側よりプラズマ生成用ガスをガス流速が１０ｍ／秒となるように流した。プラズマ生成用ガスとしては窒素を用いた。また、一回目と二回目のプラズマ３の供給の間に被処理物４の表面が曝露される酸素を含むガス６としては乾燥空気（温度２５℃、相対湿度３０％）を用いた。また、一対の電極１、２間に印加される電圧は周波数８０ｋＨｚで電界強度１００ｋＶ／ｃｍで、その波形は正弦波の形状とした。このような条件で大気圧下でプラズマ３を生成し、電極１、２の下流側より５ｍｍ離れた位置で、被処理物４として液晶用ガラス板を８ｍ毎分のスピードで通過させることによってプラズマ処理を行った。
【００４１】
この結果、未処理時に約５０°であった被処理物４の水の接触角が約５°となった。また、被処理物４としてアクリル樹脂で構成される液晶用カラーフィルターの表面を処理した場合、未処理では５０°であった水の接触角が１５°まで改質された。
【００４２】
(実施例２)
図３に示すプラズマ処理装置を形成した。プラズマ発生器２１としては実施例１と同様のものを一基だけ用いた。また、紫外線照射装置３０としては低圧水銀ランプ（波長２５３．７ｎｍ）を用いた。この紫外線照射装置３０は被処理物４の搬送方向においてプラズマ発生器２１よりも１００ｍｍ上流側に設置し、また、被処理物４との距離が５ｍｍとなるように搬送手段５０の上方に設置した。そして、プラズマ３を供給する前に、酸素を含むガス６である空気中で紫外線照射装置３０を点灯させて被処理物４の表面に紫外線を照射した。
【００４３】
また、未放電時においてガス流路３６に上流側よりプラズマ生成用ガスをガス流速が２０ｍ／秒となるように流した。また、一対の電極１、２間に印加される電圧は周波数３００ｋＨｚで電界強度１００ｋＶ／ｃｍで、その波形は正弦波の形状とした。このような条件で大気圧下でプラズマ３を生成し、電極１、２の下流側より５ｍｍ離れた位置で、被処理物４を３ｍ毎分のスピードで通過させることによってプラズマ処理を行った。
【００４４】
これら以外は実施例１と同様にした結果、被処理物４が実施例１と同様の液晶用ガラス板の場合、プラズマ処理後の水の接触角が５°となり、被処理物４が実施例１と同様の液晶用カラーフィルターの場合、プラズマ処理後の水の接触角が２０°となった。
【００４５】
（実施例３）
実施例１において、乾燥空気の代わりに湿潤空気（４０℃、相対湿度６０％）の雰囲気中で行った。その他の条件は実施例１と同様であった。
【００４６】
このような条件で大気圧下でプラズマ３を生成し、電極１、２の下流側より５ｍｍ離れた位置で、被処理物４として液晶用ガラス板を１０ｍ毎分のスピードで通過させることによってプラズマ処理を行った。
【００４７】
この結果、未処理時に約５０°であった被処理物４の水の接触角が約４°となった。また、被処理物４としてアクリル樹脂で構成される液晶用カラーフィルターの表面を処理した場合、未処理では５０°であった水の接触角が１０°まで改質された。
【００４８】
（比較例）
図４に示すプラズマ処理装置を用いた。このプラズマ処理装置は実施例２において紫外線照射装置３０を除いて形成されるものである。そして、紫外線を照射しないで被処理物４を実施例２と同条件でプラズマ処理を行った結果、被処理物４が液晶用ガラス板の場合、プラズマ処理後の水の接触角が１５°となり、被処理物４が液晶用カラーフィルターの場合、プラズマ処理後の水の接触角が３５°となり、いずれの場合も比較例は実施例１、２に比べて、プラズマ処理能力が低くなった。
【図面の簡単な説明】
【００４９】
【図１】本発明の実施の形態の一例を示す概略の断面図である。
【図２】同上の回路の一例を示す概略図である。
【図３】同上の他の実施の形態を示す概略の断面図である。
【図４】比較例を示す概略の断面図である。
【符号の説明】
【００５０】
１  電極
２  電極
３  プラズマ
４  被処理物
６  酸素を含むガス
３６  ガス流路
【図１】
2005072497.tif 000003
【図２】
2005072497.tif 000004
【図３】
2005072497.tif 000005
【図４】
2005072497.tif 000006